(57)【要約】【課題】集塵部の取り外しおよび取り付けの作業を容易にし、使用勝手の良い電気掃除機を提供することを目的とするものである。【解決手段】吸引風を発生させる電動送風機７を有する本体部１と、前記本体部１の略後方より着脱自在に構成され、吸引された塵埃を吸引風と分離する集塵部２と、前記本体部１の前記集塵部２の略前方に設けられた開口部９とを備え、前記集塵部２のすくなくとも一部が前記開口部９より目視可能で、かつ、前記開口部９の両側もしくは片側に前記吸引風の流路である吸気通路を有するもので、集塵部２の着脱を掃除作業時の立ち位置のままで行うことができ、また、集塵部２に溜まった塵埃の量を本体部１前方から確認できるため、使い勝手のよい電気掃除機とすることが可能である。【選択図】図１
2005168623.tif 000002
【特許請求の範囲】
【請求項１】
吸引風を発生させる電動送風機を有する本体部と、前記本体部の略後方より着脱自在に構成され、吸引された塵埃を吸引風と分離する集塵部と、前記本体部の前記集塵部の略前方に設けられた開口部とを備え、前記集塵部のすくなくとも一部が前記開口部より目視可能で、かつ、前記開口部の両側もしくは片側に前記吸引風の流路である吸気通路を有する電気掃除機。
【請求項２】
開口部を透明材料で覆った前記請求項１記載の電気掃除機。
【請求項３】
開口部の両端に設けられた吸気通路のうち、一方は集塵部と電動送風機を連通する通路とし、もう一方は集塵部と吸込具を連通する通路とした請求項１または２記載の電気掃除機。
【請求項４】
開口部の両端に設けられた吸気通路のすくなくとも一方は、吸気通路と外郭構成部品との間を電動送風機から排出される排気風の少なくとも一部が通過する排気通路とした請求項１〜３のいずれか１項に記載の電気掃除機。
【請求項５】
集塵部取付け部または集塵部の、前記集塵部を前記集塵部取付け部へと取り付けた際に隣接する面の少なくとも一部を、前記集塵部挿入方向に対し傾斜させた請求項１〜４のいずれか１項に記載の電気掃除機。
【請求項６】
本体部の前面に取り付けられたカバー部品を着脱可能とした請求項１〜５のいずれか１項に記載の電気掃除機。
【請求項７】
本体部内部に設けた吸込具と集塵部を連通する吸気通路の一部を着脱自在とした請求項１〜６のいずれか１項に記載の電気掃除機。
【請求項８】
本体部内部に設けた吸込具と集塵部を連通する吸気通路の一部を軟質部材で構成し、これを着脱自在とした請求項１〜６のいずれか１項に記載の電気掃除機。
【請求項９】
本体部内部に設けた吸込具と集塵部を連通する吸気通路の一部を透明部材で構成し、これを着脱自在とした請求項１〜６のいずれか１項に記載の電気掃除機。
【請求項１０】
本体部内部に設けた吸込具と集塵部を連通する吸気通路の一部を集塵部取付け部の内面に着脱自在に構成し、集塵部を装着することにより前記吸気通路の一部が外観より見えにくくなる構成とした請求項１〜９のいずれか１項に記載の電気掃除機。
【請求項１１】
本体部上方に設けた把手が上下に摺動する構成とした請求項１〜１０のいずれか１項に記載の電気掃除機。
【請求項１２】
本体部内部の集塵部取り付け部の上方にコードリール部と、前記コードリール部の後方に凸部を設け、前記凸部をコード先端収納部とするとともに、集塵部の最も本体部後方側に突出している位置よりも、前記凸部が本体部後方に突出する構成とした請求項１〜１１のいずれか１項に記載の電気掃除機。
【請求項１３】
本体部上方に設けた把手が、集塵部の最も本体部後方側に突出している位置よりも、本体部後方に突出する構成とした請求項１〜１１のいずれか１項に記載の電気掃除機。
【請求項１４】
本体部上部に着脱自在に構成されたハンドル部を有し、前記ハンドル部は先端に塵埃を吸引する吸気開口と、前記ハンドル部に取り付けられ前記本体部に設けられた電動送風機と前記吸気開口を連通するホース部を有する構成において、前記ホース部と前記本体部が着脱自在に構成された請求項１〜１３のいずれか１項に記載の電気掃除機。
【請求項１５】
電動送風機と集塵部を連通する連通穴を集塵部取付け部の下方に設け、吸込具と集塵部を連通する連通穴を集塵部の上方に設けた請求項１〜１４のいずれか１項に記載の電気掃除機。
【請求項１６】
本体部上部の本体部重心より後方に、ハンドル部を着脱自在に構成した請求項１〜１５のいずれか１項に記載の電気掃除機。
【発明の詳細な説明】
【技術分野】
【０００１】
本発明は、集塵部を本体部から取り外す構成をもつアプライト型電気掃除機に関するものである。
【背景技術】
【０００２】
従来のアプライト型電気掃除機として、集塵部を本体部前方に配置し、吸気通路などを集塵部の後方に構成することで、集塵部のほぼ全体を正面から見える構成としたものがある（例えば、特許文献１参照）。
【特許文献１】特開２００３−６１８７８号公報
【発明の開示】
【発明が解決しようとする課題】
【０００３】
しかしながら、上記のような電気掃除機においては、集塵部が本体部前方にあることから、集塵部に溜まった塵埃を廃棄する際には、製品本体部前方から集塵部を取り外す必要があり、通常使用状態では製品本体部の後方に使用者がいることを考慮すると本体部前方へ使用者が回りこむか、あるいは製品本体部を回転させ、製品本体部の前方を使用者側に向けた後に集塵部を取り外す作業をする必要があった。また集塵部の塵埃を廃棄した後に製品本体部に集塵部を再取り付けする際も同様に、製品本体部に集塵部を取り付けた後、製品本体部の後方に利用者が移動するか、あるいは製品本体部を回転させる必要があった。
【０００４】
本発明は、上記課題を解決するもので、集塵部の取り外しおよび取り付けの作業を容易にし、使用勝手の良い電気掃除機を提供することを目的とするものである。
【課題を解決するための手段】
【０００５】
上記目的を達成するために本発明は、吸引風を発生させる電動送風機を有する本体部と、前記本体部の略後方より着脱自在に構成され、吸引された塵埃を吸引風と分離する集塵部と、前記本体部の前記集塵部の略前方に設けられた開口部とを備え、前記集塵部のすくなくとも一部が前記開口部より目視可能で、かつ、前記開口部の両側もしくは片側に前記吸引風の流路である吸気通路を有するもので、本体部の後方へ集塵部が外れるため、集塵部の着脱を掃除作業時の立ち位置のままで行うことができ、本体部の前方へ回り込んだり、あるいは本体部を回転させて本体部の前方を使用者側に向ける必要がなく、また集塵部の一部が本体部前方から見える構成のため、不潔感のある塵埃が外部へ見えすぎることなく集塵部に溜まった塵埃の量を本体部前方から確認できるため、使い勝手のよい電気掃除機とすることが可能である。
【０００６】
また、集塵部を製品本体部後方から着脱自在とすることで、集塵部に溜まった塵埃を廃棄する際には製品本体部の前方に使用者が回り込んだり、製品本体部を回転させて製品本体部の正面を使用者側に向ける必要がなく、余分な動作をせずとも集塵部に溜まった塵埃を廃棄することが可能であり、また塵埃廃棄後に集塵部を製品本体部に取り付けた後も直ちにそのままの立ち位置から製品本体部を使用することが可能であり、掃除作業から集塵部に溜まった塵埃を廃棄し、また掃除作業に復帰するといった一連の流れがスムーズになり、使い勝手のよい電気掃除機を提供することが可能となる。
【発明の効果】
【０００７】
本発明の電気掃除機は、集塵部の取り外しおよび取り付けの作業を容易にし、使用勝手の良い電気掃除機を提供できる。
【発明を実施するための最良の形態】
【０００８】
第１の発明は、吸引風を発生させる電動送風機を有する本体部と、前記本体部の略後方より着脱自在に構成され、吸引された塵埃を吸引風と分離する集塵部と、前記本体部の前記集塵部の略前方に設けられた開口部とを備え、前記集塵部のすくなくとも一部が前記開口部より目視可能で、かつ、前記開口部の両側もしくは片側に前記吸引風の流路である吸気通路を有するもので、本体部の後方へ集塵部が外れるため、集塵部の着脱を掃除作業時の立ち位置のままで行うことができ、本体部の前方へ回り込んだり、あるいは本体部を回転させて本体部の前方を使用者側に向ける必要がなく、また集塵部の一部が本体部前方から見える構成のため、不潔感のある塵埃が外部へ見えすぎることなく集塵部に溜まった塵埃の量を本体部前方から確認できるため、使い勝手のよい電気掃除機とすることが可能である。
【０００９】
第２の発明は、第１の発明の開口部を透明材料で覆ったもので、本体部に開口部を設けることによる本体部の強度低下を抑えるとともに、デザイン的にもすっきりとした形に仕上げることが可能となる。
【００１０】
第３の発明は、開口部の両端に設けられた吸気通路のうち、一方は集塵部と電動送風機を連通する通路とし、もう一方は集塵部と吸込具を連通する通路としたもので、本体部内部の限られた空間を効率的に利用することができ、小型軽量な電気掃除機を提供することが可能となる。
【００１１】
第４の発明は、開口部の両端に設けられた吸気通路のすくなくとも一方は、吸気通路と外郭構成部品との間を電動送風機から排出される排気風の少なくとも一部が通過する排気通路としたもので、電動送風機より排出された排気風を本体部上部に導入し、本体部上部に構成されたコードリール部や回路部の温度上昇を抑えることが可能であり、高出力な電気掃除機が可能となる。
【００１２】
第５の発明は、集塵部取付け部または集塵部の、前記集塵部を前記集塵部取付け部へと取り付けた際に隣接する面の少なくとも一部を、前記集塵部挿入方向に対し傾斜させたもので、集塵部の本体部へのスムーズな取り付けが可能となる。
【００１３】
第６の発明は、本体部の前面に取り付けられたカバー部品を着脱可能としたもので、カバー部品が汚れた際にはずして洗えるのに加え、さまざまなカラーのカバー部品を用意し取り替えることで、使用時の気分に合ったカラーの電気掃除機とすることが可能となる。
【００１４】
第７の発明は、本体部内部に設けた吸込具と集塵部を連通する吸気通路の一部を着脱自在としたもので、本体部内部の吸気通路に塵埃が引っかかった場合においても、引っかかった塵埃を容易に除去することが可能となる。
【００１５】
第８の発明は、本体部内部に設けた吸込具と集塵部を連通する吸気通路の一部を軟質部材で構成し、これを着脱自在としたもので、吸気通路を取り外して内部に引っかかった塵埃を除去する際の吸気通路の取り外しが容易となる。
【００１６】
第９の発明は、本体部内部に設けた吸込具と集塵部を連通する吸気通路の一部を透明部材で構成し、これを着脱自在としたもので、吸気通路内部に塵埃が引っかかっているかどうかが吸気通路を取り外すことなく確認可能であり、吸気通路内部への塵埃引っかかりを原因とする吸込み力の低下を抑制することが可能となる。
【００１７】
第１０の発明は、本体部内部に設けた吸込具と集塵部を連通する吸気通路の一部を集塵部取付け部の内面に着脱自在に構成し、集塵部を装着することにより前記吸気通路の一部が外観より見えにくくなる構成としたもので、外観を損なうことがなくスマートな電気掃除機が提供可能となる。
【００１８】
第１１の発明は、本体部上方に設けた把手が上下に摺動する構成としたもので、使用者が腰をかがめなくても把手をつかんで本体部を持ち上げることが可能となり、使い勝手のよい電気掃除機が提供可能となる。
【００１９】
第１２の発明は、本体部内部の集塵部取り付け部の上方にコードリール部と、前記コードリール部の後方に凸部を設け、前記凸部をコード先端収納部とするとともに、集塵部の最も本体部後方側に突出している位置よりも、前記凸部が本体部後方に突出する構成としたもので、本体部が後方へ転倒した場合でも、集塵部などの強度的に比較的弱い部分が床面に衝突することがなくなり、製品の破損を防止可能である。
【００２０】
第１３の発明は、本体部上方に設けた把手が、集塵部の最も本体部後方側に突出している位置よりも、本体部後方に突出する構成としたもので、本体部が後方へ転倒した場合でも、集塵部などの強度的に比較的弱い部分が床面に衝突することがなくなり、製品の破損を防止可能である。
【００２１】
第１４の発明は、本体部上部に着脱自在に構成されたハンドル部を有し、前記ハンドル部は先端に塵埃を吸引する吸気開口と、前記ハンドル部に取り付けられ前記本体部に設けられた電動送風機と前記吸気開口を連通するホース部を有する構成において、前記ホース部と前記本体部が着脱自在に構成されたもので、ホース部内部に塵埃が引っかかった場合の塵埃の除去が容易となり、また収納時にホース部を取り外すことでコンパクトに収納可能となる。
【００２２】
第１５の発明は、電動送風機と集塵部を連通する連通穴を集塵部取付け部の下方に設け、吸込具と集塵部を連通する連通穴を集塵部の上方に設けたもので、本体部下方にある電動送風機と集塵部を連通する通路を短くすることが可能であり、電動送風機の吸引力を効率的に集塵部あるいは吸込具へと伝えると同時に、吸引した塵埃が集塵部２からこぼれるのを防止することが可能となる。
【００２３】
第１６の発明は、本体部上部の本体部重心より後方に、ハンドル部を着脱自在に構成したもので、掃除作業のため本体部を傾けた際に手元にかかる重量を低減させることが可能となる。
【００２４】
以下、本発明の実施の形態について、図面を参照しながら説明する。なお、この実施の形態によってこの発明が限定されるものではない。
【００２５】
（実施の形態１）
以下、本発明の第１の実施の形態における電気掃除機を図１〜図１１を用いて説明する。
【００２６】
図１〜３において、本体部１から集塵部２が、前記本体部１後方に取り外せる構成となっている。集塵部２の上下面は水平面に対し傾斜を設けてあり、これにより集塵部２の本体部１への装着が容易になっている。
【００２７】
また、集塵部２の上下の傾斜を変えることにより、集塵部２を上下さかさまに本体部１へと取り付けようとしても取り付かない構成としている。集塵部把手３の上方には、ばねにより上位置に付勢された上下に摺動する集塵部尾錠４が設けられており、集塵部尾錠４を押し下げることで本体部１との係合が外れ、集塵部２を本体部１から取り外すことが可能となる。
【００２８】
また、ハンドル部５は本体部１の前方に上から入り込む形で取り付けられており、このハンドル部５は本体部１より着脱自在に構成されている。ハンドル部５と本体部１はホース６で連通されており、本体部１下部に内蔵された電動送風機７により発生される負圧は、ホース６を通じてハンドル部５へと加えられているが、本体部１にハンドル部５が装着されている状態では、ハンドル部５の先端は密閉されているため電動送風機７が発する負圧はロスを生じることなく吸込具８へと伝わり、床面の塵埃を効果的に吸引する。ハンドル部５を本体部１からはずすと、電動送風機７の発する負圧によりハンドル部５の先端に設けられた開口部から吸気風が吸込まれ、隙間部などの掃除に活用できる。
【００２９】
図２は集塵部２が本体部１に取り付けられた状態を示しており、図３は本発明の電気掃除機を正面から見た図である。図３の略中央部には開口部９が設けられており、この開口部９の表面は透明なカバー部品１０で覆われている。開口部９およびカバー部品１０を通して、集塵部２が本体部１前方から見えるため、集塵部２に溜まった塵埃の量を本体部１前方から確認できる。また、集塵部２は透明材料で作られているため、本体部１後方、あるいは本体部１側面からも集塵部２の中の塵埃量を外部から確認可能である。
【００３０】
図４は図２におけるＡ−Ａ断面図を示したものであり、図５は図４において集塵部２が本体部１から取り外された状態の断面図を示している。集塵部２と電動送風機７を連通する送風機通路１１と、集塵部２と吸込具８を連通する塵埃通路１２が開口部９の両側に構成されており、またこれら送風機通路１１と塵埃通路１２の周囲の空間は、排気通路１３となっており、排気風によって集塵部２の上部に設けられたコードリール１４を冷却する構成となっている。
【００３１】
図６に示すように、塵埃通路１２の一部を取り外し可能な中間通路１６として構成されており、また、取り外し口１５部を集塵部２の下方に設けることで、集塵部２が本体部１に装着されている通常の状態では取り外し口１５が外観より見えなくなり、外観を損ねることがない。この中間通路１６は透明あるいは半透明な軟質材で形成されており、内部に塵埃が引っかかったことが中間通路１６を取り外すことなく外部から確認可能である。
【００３２】
図７は、本体部１前面に構成したカバー部品１０が本体部１から着脱自在となっていることを示した図であり、図８は本体部後方の本体部把手１７が本体部上方向に伸びる構成を示している。
【００３３】
図９に示すように、コード出口部１８を集塵部２の最も後方となる集塵部把手３などの部分よりも突出させることで、本体部１が後方に転倒した場合でも集塵部２に衝撃が加わることがない構成となっている。この例ではコード出口部１８を床面に当てることで集塵部２を保護しているが、コード出口１８でなくとも、本体部把手１７を同様に集塵部２よりも後方へ突出させることで、同様の効果を実現できる。
【００３４】
図１０に示すように、本体部１からホース６が着脱自在となっており、内部に塵埃が引っかかったときのメンテナンスが容易となる。
【００３５】
図１１に示すように、送風機通路１１と集塵部２は集塵部２の下方で連通している。逆に、塵埃通路１２は集塵部２の上方で集塵部２と連通している。
【００３６】
図１２に示すように、本体部１後方にハンドル部５を構成することで、本体部１の重心をハンドル部５よりも前方にすることが可能となる。
【産業上の利用可能性】
【００３７】
以上のように、本発明にかかる電気掃除機は、掃除作業から集塵部に溜まった塵埃を廃棄し、また掃除作業に復帰するといった一連の流れがスムーズになる構成のため、特にアプライト型電気掃除機にて有用である。
【図面の簡単な説明】
【００３８】
【図１】本発明の第１の実施の形態を示す電気掃除機の全体外観の側面図
【図２】同電気掃除機の全体外観の側面図
【図３】同電気掃除機の全体外観の正面図
【図４】図２のＡ−Ａ断面図
【図５】図２のＡ−Ａ断面図（集塵部が分離時）
【図６】同電気掃除機の全体外観の他の側面図
【図７】同電気掃除機の全体外観の他の側面図
【図８】同電気掃除機の全体外観の他の側面図
【図９】同電気掃除機の全体外観の他の側面図
【図１０】同電気掃除機の全体外観の他の側面図
【図１１】同電気掃除機の集塵部取り付け部の外観図
【図１２】同電気掃除機の全体外観の他の側面図
【符号の説明】
【００３９】
１  本体部
２  集塵部
７  電動送風機
８  吸込具
９  開口部
【図１】
2005168623.tif 000003
【図２】
2005168623.tif 000004
【図３】
2005168623.tif 000005
【図４】
2005168623.tif 000006
【図５】
2005168623.tif 000007
【図６】
2005168623.tif 000008
【図７】
2005168623.tif 000009
【図８】
2005168623.tif 000010
【図９】
2005168623.tif 000011
【図１０】
2005168623.tif 000012
【図１１】
2005168623.tif 000013
【図１２】
2005168623.tif 000014